(57)【要約】【課題】カジノ施設の外からのカジノサービスの利用を防止することを可能とする利用制御プログラム、利用制御装置及び利用制御方法を提供する。【解決手段】カジノ施設への入場者の入場検出に応じて、入場者に対応する携帯端末を利用したカジノサービスの利用を可能とする制御を実行し、入場者のカジノ施設からの退場検出に応じて、入場者に対応する携帯端末を利用したカジノサービスの利用を不能とする制御を実行する。【選択図】図４
2019159502.tif 000002
【特許請求の範囲】
【請求項１】
カジノ施設への入場者の入場検出に応じて、前記入場者に対応する携帯端末を利用したカジノサービスの利用を可能とする制御を実行し、
前記入場者の前記カジノ施設からの退場検出に応じて、前記入場者に対応する携帯端末を利用したカジノサービスの利用を不能とする制御を実行する、
処理をコンピュータに実行させることを特徴とするカジノ施設の利用制御プログラム。
【請求項２】
請求項１において、
前記カジノサービスの利用を可能とする制御を実行する処理では、前記入場者が前記カジノサービスの利用を開始するためのログインを許可する制御を行い、
前記カジノサービスの利用を可能とする制御を実行する処理では、前記ログインを禁止する制御を行う、
ことを特徴とするカジノ施設の利用制御プログラム。
【請求項３】
請求項１において、さらに、
前記退場検出に応じて、前記入場者の入場から退場までの滞在時間を示す情報を出力する、
ことを特徴とするカジノ施設の利用制御プログラム。
【請求項４】
請求項１において、さらに、
前記退場検出に応じて、前記入場者の前記カジノ施設におけるカジノサービスの利用収支を示す情報を出力する、
ことを特徴とするカジノ施設の利用制御プログラム。
【請求項５】
請求項４において、
前記利用収支を示す情報は、前記カジノ施設においてプレイ可能なギャンブルの種類に応じた区分のそれぞれにおける利用収支を示す情報、または、前記カジノ施設内のエリアに応じた区分のそれぞれにおける利用収支を示す情報である、
ことを特徴とするカジノ施設の利用制御プログラム。
【請求項６】
請求項１において、さらに、
前記退場検出に応じて、前記入場者が前記カジノ施設において利用可能な残余分の金銭的価値を示す情報を出力する、
ことを特徴とするカジノ施設の利用制御プログラム。
【請求項７】
請求項１において、さらに、
前記退場検出に応じて、前記入場者の入場から退場までの間に前記カジノ施設において発生したイベントを示す情報を出力する、
ことを特徴とするカジノ施設の利用制御プログラム。
【請求項８】
請求項１において、さらに、
前記退場検出に応じて、前記入場者の前記カジノ施設におけるカジノサービスの利用状況に応じた評価を示す情報を出力する、
ことを特徴とするカジノ施設の利用制御プログラム。
【請求項９】
カジノ施設への入場者の入場検出に応じて、前記カジノ施設内のイベントの予告を示す情報、または、前記入場検出があった後に前記カジノ施設内で発生したイベントを示す情報の、前記入場者に対応する携帯端末に対する送信を許容する制御を実行する、
処理をコンピュータに実行させることを特徴とするカジノ施設の利用制御プログラム。
【請求項１０】
請求項９において、さらに、
前記入場者の前記カジノ施設からの退場検出に応じて、前記カジノ施設内のイベントの予告を示す情報、または、前記入場検出があった後に前記カジノ施設内で発生したイベントを示す情報の、前記入場者に対応する携帯端末に対する送信を行わないようにする制御を実行する、
処理をコンピュータに実行させることを特徴とするカジノ施設の利用制御プログラム。
【請求項１１】
請求項９において、さらに、
前記入場者の前記カジノ施設からの退場検出に応じて、前記カジノ施設内のイベントの予告を示す情報の前記携帯端末に対する送信を許容しつつ、前記入場検出があった後に前記カジノ施設内で発生したイベントを示す情報の前記携帯端末に対する送信を行わないようにする制御を実行する、
処理をコンピュータに実行させることを特徴とするカジノ施設の利用制御プログラム。
【請求項１２】
カジノ施設への入場者の入場検出に応じて、各入場者に使用可能金額の上限を示す情報を記憶する記憶部を参照し、入場検出があった前記入場者の使用可能金額の上限である特定の金額を特定し、
特定した前記特定の金額に、前記入場者に対応する携帯端末を利用したカジノサービスの利用に伴う使用金額が達した場合、前記携帯端末を利用したカジノサービスの利用を制限する、
処理をコンピュータに実行させることを特徴とするカジノ施設の利用制御プログラム。
【請求項１３】
請求項１２において、
前記制限する処理では、前記携帯端末を利用したカジノサービスの利用を禁止する、
ことを特徴とするカジノ施設の利用制御プログラム。
【請求項１４】
カジノ施設への入場者の入場検出に応じて、前記入場者に対応する携帯端末を利用したカジノサービスの利用を可能とする制御を実行する利用許可制御部と、
前記入場者の前記カジノ施設からの退場検出に応じて、前記入場者に対応する携帯端末を利用したカジノサービスの利用を不能とする制御を実行する利用禁止制御部と、を有する、
ことを特徴とするカジノ施設の利用制御装置。
【請求項１５】
カジノ施設への入場者の入場検出に応じて、前記カジノ施設内のイベントの予告を示す情報、または、前記入場検出があった後に前記カジノ施設内で発生したイベントを示す情報の、前記入場者に対応する携帯端末に対する送信を許容する制御を実行する情報送信制御部を有する、
ことを特徴とするカジノ施設の利用制御装置。
【請求項１６】
カジノ施設への入場者の入場検出に応じて、各入場者に使用可能金額の上限を示す情報を記憶する記憶部を参照し、入場検出があった前記入場者の使用可能金額の上限である特定の金額を特定し、特定した前記特定の金額に、前記入場者に対応する携帯端末を利用したカジノサービスの利用に伴う使用金額が達した場合、前記携帯端末を利用したカジノサービスの利用を制限する利用禁止制御部を有する、
ことを特徴とするカジノ施設の利用制御装置。
【請求項１７】
カジノ施設への入場者の入場検出に応じて、前記入場者に対応する携帯端末を利用したカジノサービスの利用を可能とする制御を実行し、
前記入場者の前記カジノ施設からの退場検出に応じて、前記入場者に対応する携帯端末を利用したカジノサービスの利用を不能とする制御を実行する、
ことを特徴とするカジノ施設の利用制御方法。
【請求項１８】
カジノ施設への入場者の入場検出に応じて、前記カジノ施設内のイベントの予告を示す情報、または、前記入場検出があった後に前記カジノ施設内で発生したイベントを示す情報の、前記入場者に対応する携帯端末に対する送信を許容する制御を実行する、
ことを特徴とするカジノ施設の利用制御プログラム。
【請求項１９】
カジノ施設への入場者の入場検出に応じて、各入場者に使用可能金額の上限を示す情報を記憶する記憶部を参照し、入場検出があった前記入場者の使用可能金額の上限である特定の金額を特定し、
特定した前記特定の金額に、前記入場者に対応する携帯端末を利用したカジノサービスの利用に伴う使用金額が達した場合、前記携帯端末を利用したカジノサービスの利用を制限する、
ことを特徴とするカジノ施設の利用制御方法。
【発明の詳細な説明】
【技術分野】
【０００１】
本発明は、利用制御プログラム、利用制御装置及び利用制御方法に関する。
【背景技術】
【０００２】
例えば、先進諸国等の主要各国では、テーブルゲームやスロットマシン等のカジノサービスを利用者に対して提供するカジノ施設が設けられている。そして、このようなカジノ施設では、例えば、ライブマルチゲーミングシステムを稼働させることによるカジノサービスの提供が行われる。
【０００３】
このライブマルチゲーミングシステムは、利用者がディーラーと対面することなく、端末に表示されるライブ映像（例えば、ディーラーを撮影した映像）を閲覧しながらゲームに参加することを可能とするシステムである。これにより、利用者は、ゲームが行われるテーブルの座席数等の制限を受けることなく、ゲームに参加することが可能になる。また、利用者は、端末に表示されるライブ映像を随時切り替えることにより、複数のゲームに並行して参加することが可能になる。
【０００４】
ここで、上記のようなカジノ施設は、例えば、利用者によるカジノサービスの過剰な利用を防止する必要性から、カジノサービスの提供可能エリアが法律によって制限されている場合がある。そのため、このようなカジノ施設では、例えば、ライブマルチゲーミングシステムを用いることによるカジノサービスを提供する際に、スマートフォンやタブレット等の携帯端末を利用者に使用させる場合がある。これにより、カジノ施設では、ライブマルチゲーミングシステムを用いてカジノサービスの提供を行う場合であっても、据え置き型の端末を配置する必要がなくなり、カジノサービスの提供可能エリアにより多くの利用者を入場させることが可能になる（例えば、特許文献１参照）。
【先行技術文献】
【特許文献】
【０００５】
【特許文献１】特開２０１６−０７６２３０号公報
【発明の概要】
【発明が解決しようとする課題】
【０００６】
しかしながら、上記のように携帯端末を用いたカジノサービスの提供を行う場合、無線通信の接続状況等によっては、カジノ施設の外からのカジノサービスの利用が可能になる場合がある。そのため、カジノ施設では、カジノ施設の外からのカジノサービスの利用を防止する必要性から、携帯端末を用いることによるカジノサービスの提供ができない場合がある。
【０００７】
そこで、一つの側面では、カジノ施設の外からのカジノサービスの利用を防止することを可能とする利用制御プログラム、利用制御装置及び利用制御方法を提供することを目的とする。
【課題を解決するための手段】
【０００８】
実施の形態の一つの態様によれば、カジノ施設への入場者の入場検出に応じて、前記入場者に対応する携帯端末を利用したカジノサービスの利用を可能とする制御を実行し、前記入場者の前記カジノ施設からの退場検出に応じて、前記入場者に対応する携帯端末を利用したカジノサービスの利用を不能とする制御を実行する、処理をコンピュータに実行させる。
【発明の効果】
【０００９】
一つの側面によれば、カジノ施設の外からのカジノサービスの利用を防止する。
【図面の簡単な説明】
【００１０】
【図１】図１は、情報処理システム１０の全体構成を示す図である。
【図２】図２は、情報処理システム１０のハードウエア構成について説明する図である。
【図３】図３は、情報処理システム１０の機能のブロック図である。
【図４】図４は、第１の実施の形態における利用制御処理の概略を説明するフローチャートである。
【図５】図５は、第１の実施の形態における利用制御処理の概略を説明する図である。
【図６】図６は、第１の実施の形態における利用制御処理の概略を説明する図である。
【図７】図７は、第１の実施の形態における利用制御処理の詳細を説明するフローチャートである。
【図８】図８は、第１の実施の形態における利用制御処理の詳細を説明するフローチャートである。
【図９】図９は、第１の実施の形態における利用制御処理の詳細を説明するフローチャートである。
【図１０】図１０は、第１の実施の形態における利用制御処理の詳細を説明するフローチャートである。
【図１１】図１１は、第１の実施の形態における利用制御処理の詳細を説明するフローチャートである。
【図１２】図１２は、第１の実施の形態における利用制御処理の詳細を説明するフローチャートである。
【図１３】図１３は、第１の実施の形態における利用制御処理の詳細を説明するフローチャートである。
【図１４】図１４は、第１の実施の形態における利用制御処理の詳細を説明するフローチャートである。
【図１５】図１５は、第１の実施の形態における利用制御処理の詳細を説明するフローチャートである。
【図１６】図１６は、第１の実施の形態における利用制御処理の詳細を説明するフローチャートである。
【図１７】図１７は、第１の実施の形態における利用制御処理の詳細を説明するフローチャートである。
【図１８】図１８は、第１の実施の形態における利用制御処理の詳細を説明するフローチャートである。
【図１９】図１９は、第１の実施の形態における利用制御処理の詳細を説明するフローチャートである。
【図２０】図２０は、第１の実施の形態における利用制御処理の詳細を説明するフローチャートである。
【図２１】図２１は、利用者情報１３１の具体例を説明する図である。
【図２２】図２２は、上限情報１３２の具体例を説明する図である。
【図２３】図２３は、入退場情報１３３の具体例を説明する図である。
【図２４】図２４は、端末貸出情報１３４の具体例を説明する図である。
【図２５】図２５は、口座情報１３５の具体例を説明する図である。
【図２６】図２６は、入出金履歴情報１３６の具体例を説明する図である。
【発明を実施するための形態】
【００１１】
［情報処理システムの構成］
図１は、情報処理システム１０の全体構成を示す図である。図１に示す情報処理システム１０には、１台以上の物理マシンから構成される情報処理装置１と、１台以上の物理マシンから構成されるカジノサービス提供装置２と、入退場ゲートＧＴを経由してカジノ施設２０内に入場した利用者１１ａ及び利用者１１ｂがそれぞれ使用する携帯端末３ａ及び携帯端末３ｂとが含まれる。以下、利用者１１ａ及び利用者１１ｂを総称して利用者１１とも呼び、携帯端末３ａ及び携帯端末３ｂを総称して携帯端末３とも呼ぶ。なお、携帯端末３は、利用者１１自身が所有する携帯端末３であってもよく、カジノ施設２０において貸し出される携帯端末３であってもよい。
【００１２】
図１に示す例において、携帯端末３は、ＷｉＦｉ（登録商標：Ｗｉｒｅｌｅｓｓ  Ｆｉｄｅｌｉｔｙ）等を利用することによってアクセスポイントＡＰとの間で無線通信を行う。また、情報処理装置１、カジノサービス提供装置２及びアクセスポイントＡＰは、ネットワークＮＷを経由することによって互いに通信（例えば、有線通信）を行う。
【００１３】
そして、カジノサービス提供装置２は、利用者１１に対してカジノサービスの提供を行うための処理を実行する。具体的に、カジノサービス提供装置２では、ライブマルチゲーミングシステムが稼働する。
【００１４】
また、情報処理装置１は、カジノ施設２０内への利用者１１の入場検出に応じて、入場検出があった利用者１１による携帯端末３を利用したカジノサービスの利用を可能とする制御を実行する。具体的に、情報処理装置１は、入退場ゲートＧＴにおいて利用者１１の入場検出があった場合に、入場検出があった利用者１１によるカジノサービス提供装置２へのログイン（例えば、携帯端末３を介したログイン）を許可する。
【００１５】
さらに、情報処理装置１は、カジノ施設２０からの利用者１１の退場検出に応じて、退場検出があった利用者１１による携帯端末３を利用したカジノサービスの利用を不能とする制御を実行する。具体的に、情報処理装置１は、入退場ゲートＧＴにおいて利用者１１の退場検出があった場合に、退場検出があった利用者１１によるカジノサービス提供装置２へのログイン（例えば、携帯端末３を介したログイン）を禁止する。
【００１６】
すなわち、情報処理装置１は、例えば、利用者１１がカジノ施設２０内に入場してから退場するまでの間に限って、利用者１１による携帯端末３を介したカジノサービスの利用を可能にする。
【００１７】
これにより、情報処理装置１は、カジノ施設２０において携帯端末３を用いたカジノサービスの提供が行われる場合であっても、カジノ施設２０の外からのカジノサービスの利用が可能な状況の発生を防止することが可能になる。
【００１８】
［情報処理システムのハードウエア構成］
次に、情報処理システム１０のハードウエア構成について説明する。図２は、情報処理システム１０のハードウエア構成について説明する図である。具体的に、図２は、情報処理装置１のハードウエア構成を説明する図である。
【００１９】
情報処理装置１は、図２に示すように、プロセッサであるＣＰＵ１０１と、メモリ１０２と、外部インターフェース（以下、Ｉ／Ｏユニットとも呼ぶ）１０３と、記憶媒体１０４とを有する。各部は、バス１０５を介して互いに接続される。
【００２０】
記憶媒体１０４は、例えば、記憶媒体１０４内のプログラム格納領域（図示しない）に、携帯端末３を用いたカジノサービスの利用を制御する処理（以下、利用制御処理とも呼ぶ）を行うためのプログラム１１０を記憶する。記憶媒体１０４は、例えば、ＨＤＤ（Ｈａｒｄ  Ｄｉｓｋ  Ｄｒｉｖｅ）であってよい。
【００２１】
また、記憶媒体１０４は、例えば、利用制御処理を行う際に用いられる情報を記憶する記憶部１３０（以下、情報格納領域１３０とも呼ぶ）を有する。
【００２２】
ＣＰＵ１０１は、記憶媒体１０４からメモリ１０２にロードされたプログラム１１０を実行して利用制御処理を行う。
【００２３】
外部インターフェース１０３は、例えば、ネットワークＮＷを介してカジノサービス提供装置２やアクセスポイントＡＰと通信を行う。
【００２４】
［情報処理システムの機能］
次に、情報処理システム１０の機能について説明を行う。図３は、情報処理システム１０の機能のブロック図である。
【００２５】
情報処理装置１は、ＣＰＵ１０１やメモリ１０２等のハードウエアとプログラム１１０とが有機的に協働することにより、図３に示すように、情報管理部１１１と、入場制御部１１２と、利用許可制御部１１３と、認証制御部１１４と、退場制御部１１５と、利用禁止制御部１１６と、情報送信制御部１１７と、情報出力部１１８とを含む各種機能を実現する。
【００２６】
そして、情報処理装置１は、図３に示すように、利用者情報１３１と、上限情報１３２と、入退場情報１３３と、端末貸出情報１３４と、口座情報１３５と、入出金履歴情報１３６を情報格納領域１３０に記憶する。
【００２７】
情報管理部１１１は、例えば、カジノ施設２０の利用者１１によって利用者情報１３１や上限情報１３２の入力が行われた場合、入力が行われた利用者情報１３１や上限情報１３２を情報格納領域１３０に記憶する。
【００２８】
利用者情報１３１は、カジノ施設２０においてカジノサービスを利用する各利用者１１を識別する情報である。すなわち、利用者情報１３１は、例えば、カジノ施設２０に対する入場が許可されている利用者１１を識別する情報である。具体的に、利用者情報１３１は、例えば、利用者１１がカジノ施設２０に入場する前に利用者１１自身によって入力される情報であってよい。
【００２９】
また、上限情報１３２は、カジノ施設２０において各利用者１１がカジノサービスの提供を受ける際に使用することができる金額を示す情報である。すなわち、上限情報１３２は、各利用者１１によるカジノサービスの過剰な利用を防止することを目的として入力される情報である。具体的に、上限情報１３２は、例えば、利用者１１がカジノ施設２０に入場する前に利用者１１の親族等によって入力される情報であってよい。
【００３０】
入場制御部１１２は、各利用者１１が入退場ゲートＧＴにおいてカジノ施設２０への入場要求を行った場合、情報格納領域１３０に記憶された利用者情報１３１を参照し、入場要求を行った利用者１１の入場を許可するか否かの判定を行う。そして、入場制御部１１２は、利用者１１の入場を許可した場合、例えば、その利用者１１の入場を許可した旨を示す情報を入退場情報１３３の少なくとも一部として情報格納領域１３０に記憶する。
【００３１】
利用許可制御部１１３は、入場制御部１１２が入場を許可した利用者１１（カジノ施設２０内に入場した利用者１１）による携帯端末３を用いたカジノサービスの利用を可能とする制御を実行する。具体的に、利用許可制御部１１３は、例えば、入場制御部１１２が入場を許可した利用者１１による携帯端末３を介したカジノサービス提供装置２へのログインが可能な状態にする。
【００３２】
認証制御部１１４は、利用者１１が携帯端末３を介して正しい認証情報（例えば、利用者１１の利用者ＩＤ及びパスワードを含む認証情報）を入力した場合、カジノサービス提供装置２へのログインを行う。一方、認証制御部１１４は、例えば、利用者１１が携帯端末３を介して誤った認証情報を入力した場合、カジノサービス提供装置２へのログインを行わない。
【００３３】
退場制御部１１５は、各利用者１１が入退場ゲートＧＴにおいてカジノ施設２０からの退場要求を行った場合に、退場要求を行った利用者１１の退場を許可する。そして、退場制御部１１５は、利用者１１の退場を許可した場合、例えば、その利用者１１の退場を許可した旨を示す情報を入退場情報１３３の少なくとも一部として情報格納領域１３０に記憶する。
【００３４】
利用禁止制御部１１６は、カジノ施設２０から退場した利用者１１による携帯端末３を用いたカジノサービスの利用を不能とする制御を実行する。具体的に、利用禁止制御部１１６は、退場した利用者１１が携帯端末３を介して正しい認証情報を入力した場合であっても、その利用者１１によるカジノサービス提供装置２へのログインができない状態にする。
【００３５】
情報送信制御部１１７は、例えば、カジノ施設２０内に入場した利用者１１が用いる携帯端末３に対する各種情報の送信を許可する。具体的に、情報送信制御部１１７は、例えば、カジノサービス提供装置２から利用者１１が用いる携帯端末３に対する各種情報の送信を許可する。
【００３６】
また、情報送信制御部１１７は、例えば、カジノ施設２０内から退場した利用者１１が用いる携帯端末３に対する各種情報の送信を禁止する。具体的に、情報送信制御部１１７は、例えば、カジノサービス提供装置２から利用者１１が用いる携帯端末３に対する各種情報の送信を禁止する。
【００３７】
情報出力部１１８は、退場制御部１１５によって利用者１１の退場が許可された場合、例えば、入退場ゲートＧＴに隣接されたモニター等の出力装置（図示しない）に対して各種情報を送信する。そして、出力装置は、この場合、情報出力部１１８から送信された各種情報を表示することによって、入退場ゲートＧＴから退場した利用者１１に閲覧させる。端末貸出情報１３４、口座情報１３５及び入出金履歴情報１３６についての説明は後述する。
【００３８】
［第１の実施の形態の概略］
次に、第１の実施の形態の概略について説明する。図４は、第１の実施の形態における利用制御処理の概略を説明するフローチャートである。また、図５及び図６は、第１の実施の形態における利用制御処理の概略を説明する図である。図５及び図６を参照しながら、図４に示す利用制御処理の概略を説明する。
【００３９】
情報処理装置１は、図４に示すように、利用者１１の存在を検出するまで待機する（Ｓ１のＮＯ）。
【００４０】
そして、利用者１１の存在を検出した場合（Ｓ１のＹＥＳ）、情報処理装置１は、Ｓ１の処理で存在を検出した利用者１１が入場済かつ未退場であるか否かを判定する（Ｓ２）。
【００４１】
具体的に、情報処理装置１は、図５に示すように、例えば、入退場ゲートＧＴにおける利用者１１ｃ（以下、入場者とも呼ぶ）の入場検出があった場合、利用者１１ｃが入場済かつ未退場であるか否かの判定を行う。
【００４２】
その結果、Ｓ１の処理で存在を検出した利用者１１が入場済かつ未退場であると判定した場合（Ｓ２のＹＥＳ）、情報処理装置１は、Ｓ１の処理で存在を検出した利用者１１に対応する携帯端末３を利用したカジノサービスの利用を可能とする制御を実行する（Ｓ３）。
【００４３】
具体的に、情報処理装置１は、図６に示すように、利用者１１ｃが入場済かつ未退場であると判定した場合、利用者１１ｃがカジノ施設２０内に滞在していると判定し、携帯端末３ｃからのカジノサービスの利用を可能にする。
【００４４】
すなわち、カジノ施設２０に入場済である利用者１１のうち、カジノ施設から既に退場している利用者１１については、カジノ施設２０に対して再度入場するまでカジノサービスの利用を禁止する必要がある。そのため、情報処理装置１は、Ｓ１の処理で存在を検出した利用者１１が入場済かつ未退場であると判定した場合に、携帯端末３を利用したカジノサービスの利用を可能とする制御を実行する。
【００４５】
これにより、情報処理装置１は、カジノ施設２０に対して入場及び退場を既に行った利用者１１によって、カジノ施設２０の外からカジノサービスの利用が行われることを防止することが可能になる。
【００４６】
一方、Ｓ１の処理で存在を検出した利用者１１が入場済かつ未退場でないと判定した場合（Ｓ２のＮＯ）、情報処理装置１は、Ｓ１の処理で存在を検出した利用者１１に対応する携帯端末３を利用したカジノサービスの利用を不能とする制御を実行する（Ｓ４）。
【００４７】
具体的に、情報処理装置１は、例えば、利用者１１ｃが入場済かつ未退場でないと判定した場合、利用者１１ｃがカジノ施設２０内に滞在していないと判定し、携帯端末３ｃからのカジノサービスの利用を不能にする。
【００４８】
これにより、情報処理装置１は、カジノ施設２０において携帯端末３を用いたカジノサービスの提供が行われる場合であっても、カジノ施設２０の外からのカジノサービスの利用が可能な状況の発生を防止することが可能になる。
【００４９】
［第１の実施の形態の詳細］
次に、第１の実施の形態の詳細について説明する。図７から図２０は、第１の実施の形態における利用制御処理の詳細を説明するフローチャートである。また、図２１から図２６は、第１の実施の形態における利用制御処理の詳細を説明する図である。図２１から図２６を参照しながら、図７から図２０に示す利用制御処理の詳細を説明する。
【００５０】
［利用者情報記憶処理］
初めに、利用制御処理のうち、利用者情報１３１の記憶を行う処理（以下、利用者情報記憶処理とも呼ぶ）の具体例について説明を行う。図７は、利用者情報記憶処理を説明するフローチャートである。
【００５１】
情報処理装置１の情報管理部１１１は、図７に示すように、利用者情報１３１が入力されるまで待機する（Ｓ１１のＮＯ）。具体的に、情報管理部１１１は、例えば、カジノ施設２０におけるカジノサービスの利用を希望する利用者１１が、入退場データＧＴの外に配置された入力端末（図示しない）から利用者情報１３１の入力を行うまで待機する。
【００５２】
そして、利用者情報１３１が入力された場合（Ｓ１１のＹＥＳ）、情報管理部１１１は、Ｓ１１の処理で入力があった利用者情報１３１を情報格納領域１３０に記憶する（Ｓ１２）。以下、利用者情報１３１の具体例について説明を行う。
【００５３】
［利用者情報の具体例］
図２１は、利用者情報１３１の具体例を説明する図である。
【００５４】
図２１に示す利用者情報１３１は、利用者情報１３１に含まれる各情報を識別する「項番」と、各利用者１１を識別する「利用者ＩＤ」と、各利用者１１の氏名が設定される「氏名」と、各利用者１１の生年月日が設定される「生年月日」とを項目として有する。
【００５５】
具体的に、図２１に示す利用者情報１３１において、「項番」が「１」である情報には、「利用者ＩＤ」として「Ａ００１」が設定されており、「氏名」として「鈴木太郎」が設定されており、「生年月日」として「１９８０／１１／２０」が設定されている。
【００５６】
また、図２１に示す利用者情報１３１において、「項番」が「２」である情報には、「利用者ＩＤ」として「Ａ００２」が設定されており、「氏名」として「佐藤次郎」が設定されており、「生年月日」として「１９８８／０２／０４」が設定されている。図２１に含まれる他の情報についての説明は省略する。
【００５７】
［上限情報記憶処理］
次に、利用制御処理のうち、上限情報１３２の記憶を行う処理（以下、上限情報記憶処理とも呼ぶ）の具体例について説明を行う。図８は、上限情報記憶処理を説明するフローチャートである。
【００５８】
情報管理部１１１は、図８に示すように、上限情報１３２が入力されるまで待機する（Ｓ２１のＮＯ）。具体的に、情報管理部１１１は、例えば、カジノサービスの利用を希望する利用者１１の親族から連絡を受けたカジノ施設２０の担当者が、情報処理装置１に対して上限情報１３２の入力を行うまで待機する。
【００５９】
そして、上限情報１３２が入力された場合（Ｓ２１のＹＥＳ）、情報管理部１１１は、Ｓ２１の処理で入力があった上限情報１３２を情報格納領域１３０に記憶する（Ｓ２２）。以下、上限情報１３２の具体例について説明を行う。
【００６０】
［上限情報の具体例］
図２２は、上限情報１３２の具体例を説明する図である。
【００６１】
図２２に示す上限情報１３２は、上限情報１３２に含まれる各情報を識別する「項番」と、各利用者１１を識別する「利用者ＩＤ」と、各利用者１１の氏名が設定される「氏名」と、各利用者１１がカジノサービスの利用に際して使用することができる金額の上限が設定される「上限金額」とを項目として有する。
【００６２】
具体的に、図２２に示す上限情報１３２において、「項番」が「１」である情報には、「利用者ＩＤ」として「Ａ００２」が設定されており、「氏名」として「佐藤次郎」が設定されており、「上限金額」として「５００００（円）」が設定されている。
【００６３】
また、図２２に示す上限情報１３２において、「項番」が「２」である情報には、「利用者ＩＤ」として「Ａ００３」が設定されており、「氏名」として「田中三郎」が設定されており、「上限金額」として「３００００（円）」が設定されている。図２２に含まれる他の情報についての説明は省略する。
【００６４】
［入場制御処理］
次に、利用制御処理のうち、利用者１１の入場を制御する処理（以下、入場制御処理とも呼ぶ）の具体例について説明を行う。図９及び図１０は、入場制御処理を説明するフローチャートである。
【００６５】
情報処理装置１の入場制御部１１２は、図９に示すように、入場要求を受け付けるまで待機する（Ｓ３１のＮＯ）。具体的に、入場制御部１１２は、入退場ゲートＧＴにおいて新たな利用者１１がカジノ施設２０内への入場を試みるまで待機する。
【００６６】
そして、入場要求を受け付けた場合（Ｓ３１のＹＥＳ）、入場制御部１１２は、情報格納領域１３０に記憶された利用者情報１３１を参照し、入場要求を行った利用者１１を識別する情報が含まれているか否かを判定する（Ｓ３２）。
【００６７】
その結果、入場要求を行った利用者１１を識別する情報が含まれていないと判定した場合（Ｓ３２のＮＯ）、入場制御部１１２は、Ｓ３１の処理で受け付けた入場要求を行った利用者１１の入場を認めない旨の指示を入退場ゲートＧＴに送信する（Ｓ３３）。
【００６８】
これにより、情報処理装置１は、カジノ施設２０に対して入場させるべきでない利用者１１の入場を禁止することが可能になる。
【００６９】
一方、入場要求を行った利用者１１を識別する情報が含まれていると判定した場合（Ｓ３２のＹＥＳ）、情報処理装置１の利用許可制御部１１３は、Ｓ３１の処理で受け付けた入場要求を行った利用者１１の携帯端末３におけるカジノサービス提供装置２へのログインを可能にする制御を行う（Ｓ３４）。
【００７０】
そして、入場制御部１１２は、Ｓ３１の処理で受け付けた入場要求を行った利用者１１の入場を許可する旨の指示を入退場ゲートＧＴに送信する（Ｓ３５）。
【００７１】
続いて、情報管理部１１１は、図１０に示すように、Ｓ３１の処理で受け付けた入場要求を行った利用者１１の入場を許可したことを示す入退場情報１３３を情報格納領域１３０に記憶する（Ｓ３６）。以下、入退場情報１３３の具体例について説明を行う。
【００７２】
［入退場情報の具体例］
図２３は、入退場情報１３３の具体例を説明する図である。
【００７３】
図２３に示す入退場情報１３３は、入退場情報１３３に含まれる各情報を識別する「項番」と、各利用者１１が入場した日付が設定される「日付」と、各利用者１１がカジノ施設２０内に入場した時刻が設定される「入場時刻」とを項目として有する。また、図２３に示す入退場情報１３３は、カジノ施設２０に対して入場を行った各利用者１１を識別する「利用者ＩＤ」と、各利用者１１がカジノ施設２０内から退場した時刻が設定される「退場時刻」とを項目として有する。「退場時刻」には、各利用者１１がカジノ施設２０内から退場した時刻、または、各利用者１１がカジノ施設２０内からまだ退場していないことを示す「−」が設定される。
【００７４】
具体的に、図２３に示す入退場情報１３３において、「項番」が「１」である情報には、「日付」として「２０１８／０２／２４」が設定され、「入場時刻」として「１０：３０」が設定され、「利用者ＩＤ」として「Ａ０２３」が設定され、「退場時刻」として「−」が設定されている。
【００７５】
また、図２３に示す入退場情報１３３において、「項番」が「２」である情報には、「日付」として「２０１８／０２／２４」が設定され、「入場時刻」として「１１：１５」が設定され、「利用者ＩＤ」として「Ａ１３１」が設定され、「退場時刻」として「１３：１０」が設定されている。図２３に含まれる他の情報についての説明は省略する。
【００７６】
図１０に戻り、情報処理装置１の情報送信制御部１１７は、例えば、カジノ施設２０内のイベントの予告を示す情報及びカジノ施設２０内で発生したイベントを示す情報のうちの少なくとも１つについて、Ｓ３１の処理で受け付けた入場要求を行った利用者１１の携帯端末３に送信することを許可する旨の情報をカジノサービス提供装置２に送信する（Ｓ３７）。
【００７７】
これにより、情報処理装置１は、カジノ施設２０に対して入場を許可した利用者１１に対して、有益な情報の送信を開始することが可能になる。
【００７８】
［貸出管理処理］
次に、利用制御処理のうち、携帯端末３の貸し出しを管理する処理（以下、貸出管理処理とも呼ぶ）の具体例について説明を行う。図１１は、貸出管理処理を説明するフローチャートである。
【００７９】
情報管理部１１１は、図１１に示すように、カジノ施設２０内において携帯端末３の貸し出しが行われるまで待機する（Ｓ４１のＮＯ）。
【００８０】
すなわち、カジノサービスの利用を希望する利用者１１には、自身の携帯端末３を所有していない利用者１１や、自身の携帯端末３を用いてカジノサービスを利用することを希望しない利用者１１が含まれている可能性がある。そのため、カジノ施設２０では、例えば、カジノサービスの利用を行うための携帯端末３の貸し出しを行うものであってもよい。
【００８１】
そして、携帯端末３の貸し出しが行われた場合（Ｓ４１のＹＥＳ）、情報管理部１１１は、Ｓ４１の処理で行われた貸し出しに対応する情報を、情報格納領域１３０に記憶された端末貸出情報１３４に反映する（Ｓ４２）。以下、端末貸出情報１３４の具体例について説明を行う。
【００８２】
［端末貸出情報の具体例］
図２４は、端末貸出情報１３４の具体例を説明する図である。
【００８３】
図２４に示す端末貸出情報１３４は、端末貸出情報１３４に含まれる各情報を識別する「項番」と、各携帯端末３の貸し出しを行った日付が設定される「貸出日付」と、各携帯端末３の貸し出しを行った時刻が設定される「貸出時刻」とを項目として有する。また、図２４に示す端末貸出情報１３４は、各携帯端末３を貸し出した利用者１１を識別する「利用者ＩＤ」と、各携帯端末３を識別する「端末ＩＤ」とを項目と、各携帯端末３が返却された時刻が設定される「返却時刻」とを項目として有する。「返却時刻」には、各携帯端末３が返却された時間、または、各携帯端末３がまだ返却されていないことを示す「−」が設定されている。
【００８４】
具体的に、図２４に示す端末貸出情報１３４において、「項番」が「１」である情報には、「貸出日付」として「２０１８／０２／２４」が設定され、「貸出時刻」として「１１：３０」が設定され、「利用者ＩＤ」として「Ａ０６８」が設定され、「端末ＩＤ」として「Ｂ００２」が設定され、「返却時刻」として「１４：００」が設定されている。
【００８５】
また、図２３に示す端末貸出情報１３４において、「項番」が「２」である情報には、「貸出日付」として「２０１８／０２／２４」が設定され、「貸出時間」として「１１：４０」が設定され、「利用者ＩＤ」として「Ａ２８１」が設定され、「端末ＩＤ」として「Ｂ０１４」が設定され、「返却時間」として「−」が設定されている。図２４に含まれる他の情報については説明を省略する。
【００８６】
［入金管理処理］
次に、利用制御処理のうち、利用者１１の口座に対する入金を管理する処理（以下、入金管理処理とも呼ぶ）の具体例について説明を行う。図１２は、入金管理処理を説明するフローチャートである。
【００８７】
情報管理部１１１は、図１２に示すように、利用者１１の口座に対する入金が発生するまで待機する（Ｓ５１のＮＯ）。具体的に、情報管理部１１１は、例えば、カジノ施設２０内に設けられた入金装置（図示しない）において、利用者１１がカジノサービスを利用する際に使用する現金を入金するまで待機する。また、情報管理部１１１は、例えば、利用者１１によるカジノサービスの利用に伴って発生した戻り金が、カジノサービス提供装置２から利用者１１の口座に対して入金されるまで待機する。
【００８８】
そして、利用者１１の口座に対する入金が発生した場合（Ｓ５１のＹＥＳ）、情報管理部１１１は、Ｓ５１の処理で発生した入金に対応する情報を、情報格納領域１３０に記憶された口座情報１３５に反映する（Ｓ５２）。以下、口座情報１３５の具体例について説明を行う。
【００８９】
［口座情報の具体例］
図２５は、口座情報１３５の具体例を説明する図である。
【００９０】
図２５に示す口座情報１３５は、口座情報１３５に含まれる各情報を識別する「項番」と、各利用者１１を識別する「利用者ＩＤ」と、各利用者１１がカジノサービスを利用する際に使用可能な金額を示す「金額」とを項目として有する。
【００９１】
具体的に、図２５に示す口座情報１３５において、「項番」が「１」である情報には、「利用者ＩＤ」として「Ａ００１」が設定され、「金額」として「３５０００（円）」が設定されている。
【００９２】
また、図２５に示す口座情報１３５において、「項番」が「２」である情報には、「利用者ＩＤ」として「Ａ００２」が設定され、「金額」として「２０００（円）」が設定されている。図２５に含まれる他の情報については説明を省略する。
【００９３】
図１２に戻り、情報管理部１１１は、Ｓ５１の処理で発生した入金に対応する情報を、情報格納領域に１３０に記憶された入出金履歴情報１３６に追加する（Ｓ５３）。以下、入出金履歴情報１３６の具体例について説明を行う。
【００９４】
［入出金履歴情報の具体例］
図２６は、入出金履歴情報１３６の具体例を説明する図である。
【００９５】
図２６に示す入出金履歴情報１３６は、入出金履歴情報１３６に含まれる各情報を識別する「項番」と、各利用者１１を識別する「利用者ＩＤ」と、利用者１１の口座において入出金が行われた日付（各利用者１１がカジノサービスの利用を行った日付）が設定される「入出金日付」とを項目として有する。また、図２６に示す入出金履歴情報１３６は、利用者１１の口座において入出金が行われた時刻（各利用者１１がカジノサービスの利用を行った時刻）が設定される「入出金時刻」と、入金及び出金のいずれが行われたかを識別する「入出金フラグ」と、各利用者１１が行った入金額または出金額が設定される「金額（円）」とを項目として有する。「入出金フラグ」には、入金が行われたことを示す「入金」、または、出金が行われたことを示す「出金」が設定される。
【００９６】
具体的に、図２６に示す入出金履歴情報１３６において、「項番」が「１」である情報には、「利用者ＩＤ」として「Ａ００３」が設定され、「入出金日付」として「２０１８／０２／２４」が設定され、「入出金時刻」として「１０：４０」が設定され、「入出金フラグ」として「出金」が設定され、「金額」として「５０００（円）」が設定されている。
【００９７】
また、図２６に示す入出金履歴情報１３６において、「項番」が「４」である情報には、「利用者ＩＤ」として「Ａ００３」が設定され、「入出金日付」として「２０１８／０２／２４」が設定され、「入出金時刻」として「１１：３０」が設定され、「入出金フラグ」として「入金」が設定され、「金額」として「２００００（円）」が設定されている。
【００９８】
すなわち、図２６に示す入出金履歴情報１３６において、「入出金フラグ」に「出金」が設定されている情報は、利用者１１がカジノゲームを利用する際の掛け金が出金されたことに応じて生成される情報である。また、図２６に示す入出金履歴情報１３６において、「入出金フラグ」に「入金」が設定されている情報は、利用者１１がカジノゲームを利用した際の戻り金が入金されたことに応じて生成される情報である。
【００９９】
［ログイン処理］
次に、利用制御処理のうち、利用者１１がカジノサービス提供装置２に対してログインを行う処理（以下、ログイン処理）の具体例について説明を行う。図１３は、ログイン処理を説明するフローチャートである。
【０１００】
情報処理装置１の認証制御部１１４は、図１３に示すように、カジノサービス提供装置２へのログイン要求を受け付けるまで待機する（Ｓ６１のＮＯ）。具体的に、認証制御部１１４は、例えば、利用者１１が携帯端末３において行ったカジノサービス提供装置２へのログイン要求を受け付けるまで待機する。
【０１０１】
そして、ログイン要求を受け付けた場合（Ｓ６１のＹＥＳ）、認証制御部１１４は、情報格納領域１３０に記憶された入退場情報１３３に、Ｓ６１の処理で受け付けたログイン要求が行われた携帯端末３に対応する利用者１１が、カジノ施設２０内に入場中である旨を示す情報が含まれるか否かを判定する（Ｓ６２）。
【０１０２】
具体的に、認証制御部１１４は、例えば、情報格納領域１３０に記憶された入退場情報１３３を参照し、Ｓ６１の処理で受け付けたログイン要求が行われた携帯端末３に対応する利用者１１がカジノ施設２０に入場したことを示す情報の数が、カジノ施設２０から退場したことを示す情報の数よりも１つ多いことの確認を行う。
【０１０３】
その結果、カジノ施設２０内に入場中である旨を示す情報が含まれると判定した場合（Ｓ６３のＹＥＳ）、認証制御部１１４は、Ｓ６１の処理で受け付けたログイン要求が行われた携帯端末３におけるカジノサービス提供装置２へのログインを許可する（Ｓ６４）。
【０１０４】
一方、カジノ施設２０内に入場中である旨を示す情報が含まれていないと判定した場合（Ｓ６３のＮＯ）、認証制御部１１４は、Ｓ６４の処理に行わない。
【０１０５】
すなわち、情報処理装置１は、利用者１１がカジノ施設２０内に入場している場合に限り、携帯端末３を介したカジノサービス提供装置２に対するログインを許可する。
【０１０６】
これにより、情報処理装置１は、カジノ施設２０の外からカジノサービスの提供を受けることが可能な状況の発生を防止することが可能になる。
【０１０７】
［出金管理処理］
次に、利用制御処理のうち、利用者１１の口座からの出金を管理する処理（以下、出金管理処理とも呼ぶ）の具体例について説明を行う。図１４は、出金管理処理を説明するフローチャートである。
【０１０８】
情報管理部１１１は、図１４に示すように、利用者１１の口座から出金が発生するまで待機する（Ｓ７１のＮＯ）。具体的に、情報管理部１１１は、例えば、カジノ施設２０内に設けられた精算装置（図示しない）において、利用者１１による出金が行われるまで待機する。また、情報管理部１１１は、例えば、利用者１１によるカジノサービスの利用に応じて、カジノサービス提供装置２による掛け金の出金が行われるまで待機する。
【０１０９】
そして、利用者１１の口座からの出金が発生した場合（Ｓ７１のＹＥＳ）、情報管理部１１１は、Ｓ７１の処理で発生した出金に対応する情報を、情報格納領域１３０に記憶された口座情報１３５に反映する（Ｓ７２）。
【０１１０】
その後、情報管理部１１１は、Ｓ７１の処理で発生した出金に対応する情報を、情報格納領域に１３０に記憶された入出金履歴情報１３６に追加する（Ｓ７３）。
【０１１１】
続いて、情報管理部１１１は、Ｓ７１の処理で発生した出金が、利用者１１によるカジノサービスの利用に応じて行われたものであるか否かを判定する（Ｓ７４）。
【０１１２】
その結果、利用者１１によるカジノサービスの利用に応じて行われたものであると判定した場合（Ｓ７４のＹＥＳ）、情報処理装置１の利用禁止制御部１１６は、情報格納領域１３０に記憶された入出金履歴情報１３６を参照し、Ｓ７１の処理で発生した出金に対応する口座から、所定期間内に出金された合計金額を算出する（Ｓ７５）。所定期間内は、例えば、カジノ施設２０が開店した時間から現在までの時間である。
【０１１３】
具体的に、図２６に示す例において、「利用者ＩＤ」が「Ａ００３」であって「入出金フラグ」が「出金」である情報（「項番」が「１」、「２」、「３」、「５」及び「７」である情報）の「金額」には、「５０００（円）」、「１００００（円）」、「１００００（円）」、「２０００（円）」及び「３０００（円）」がそれぞれ設定されている。そのため、利用禁止制御部１１６は、この場合、所定期間内に出金があった合計金額として「３００００（円）」を算出する。
【０１１４】
続いて、利用禁止制御部１１６は、図１５に示すように、Ｓ７５の処理で算出した合計金額が、情報格納領域１３０に記憶された上限情報１３２が示す金額に到達しているか否かを判定する（Ｓ７６）。
【０１１５】
その結果、上限情報１３２が示す金額に到達していると判定した場合（Ｓ７７のＹＥＳ）、利用禁止制御部１１６は、Ｓ７１の処理で発生した出金に対応する利用者１１の携帯端末３とカジノサービス提供装置２との間におけるカジノサービスの利用に伴う通信を制限する（Ｓ７８）。
【０１１６】
具体的に、図２２に示す例において、「利用者ＩＤ」が「Ａ００３」である情報（「項番」が「２」である情報）の「上限金額」には、「３００００（円）」が設定されている。そのため、情報管理部１１１は、この場合、Ｓ７５の処理で算出した合計金額である「３００００（円）」が、情報格納領域１３０に記憶された上限情報１３２が示す金額に到達していると判定し、例えば、携帯端末３とカジノサービス提供装置２との間におけるカジノサービスの利用に伴う通信を禁止する。
【０１１７】
これにより、情報処理装置１は、利用者１１によるカジノサービスの過剰な利用を防止することが可能になる。
【０１１８】
一方、上限情報１３２が示す金額に到達していないと判定した場合（Ｓ７７のＮＯ）、利用禁止制御部１１６は、Ｓ７８の処理を行わない。
【０１１９】
なお、情報管理部１１１は、Ｓ７５の処理において、所定期間内に出金された合計金額から、所定期間内に入金された合計金額を減算した金額（以下、損害合計金額とも呼ぶ）を算出するものであってもよい。そして、情報管理部１１１は、Ｓ７６の処理において、上限情報１３２が示す金額に損害合計金額が到達しているか否かの判定を行うものであってもよい。
【０１２０】
［ログアウト処理］
次に、利用制御処理のうち、利用者１１がカジノサービス提供装置２からログアウトを行う処理（以下、ログアウト処理）の具体例について説明を行う。図１６は、ログアウト処理を説明するフローチャートである。
【０１２１】
認証制御部１１４は、図１６に示すように、カジノサービス提供装置２からのログアウト要求を受け付けるまで待機する（Ｓ８１のＮＯ）。具体的に、認証制御部１１４は、利用者１１が携帯端末３を介して行ったカジノサービス提供装置２からのログアウト要求を受け付けるまで待機する。
【０１２２】
そして、ログアウト要求を受け付けた場合（Ｓ８１のＹＥＳ）、認証制御部１１４は、Ｓ８１の処理で受け付けたログアウト要求が行われた携帯端末３におけるカジノサービス提供装置２からのログアウトを行う（Ｓ８２）。
【０１２３】
［返却管理処理］
次に、利用制御処理のうち、携帯端末３の返却を管理する処理（以下、返却管理処理とも呼ぶ）の具体例について説明を行う。図１７は、返却管理処理を説明するフローチャートである。
【０１２４】
情報管理部１１１は、図１７に示すように、カジノ施設２０内において携帯端末３の返却が行われるまで待機する（Ｓ９１のＮＯ）。
【０１２５】
そして、携帯端末３の返却が行われた場合（Ｓ９１のＹＥＳ）、情報管理部１１１は、Ｓ９１の処理で行われた返却に対応する情報を、情報格納領域１３０に記憶された端末貸出情報１３４に反映する（Ｓ９２）。
【０１２６】
［退場制御処理］
次に、利用制御処理のうち、利用者１１の退場を制御する処理（以下、退場制御処理とも呼ぶ）の具体例について説明を行う。図１８から図２０は、退場制御処理を説明するフローチャートである。
【０１２７】
情報処理装置１の退場制御部１１５は、図１８に示すように、退場要求を受け付けるまで待機する（Ｓ１０１のＮＯ）。具体的に、退場制御部１１５は、入退場ゲートＧＴにおいて利用者１１がカジノ施設２０内からの退場を試みるまで待機する。
【０１２８】
そして、退場要求を受け付けた場合（Ｓ１０１のＹＥＳ）、退場制御部１１５は、情報格納領域１３０に記憶された端末貸出情報１３４を参照し、退場要求を行った利用者１１に対して携帯端末３を貸出中であるか否かを判定する（Ｓ１０２）。
【０１２９】
その結果、退場要求を行った利用者１１に対して携帯端末３を貸出中であると判定した場合（Ｓ１０２のＹＥＳ）、退場制御部１１５は、Ｓ１０１の処理で受け付けた退場要求に対応する利用者１１の退場を認めない旨の指示を入退場ゲートＧＴに送信する（Ｓ１０３）。
【０１３０】
そして、退場制御部１１５は、この場合、例えば、退場要求を行った利用者１１に対して貸出中の携帯端末３の返却を促す旨の情報を、入退場ゲートＧＴに隣接された出力装置（図示しない）に表示する。
【０１３１】
一方、退場要求を行った利用者１１に対して携帯端末３を貸出中でないと判定した場合（Ｓ１０２のＮＯ）、認証制御部１１４は、Ｓ１０１の処理で受け付けた退場要求に対応する利用者１１の携帯端末３におけるカジノサービス提供装置２からのログアウトが行われているか否かを判定する（Ｓ１０４）。
【０１３２】
その結果、カジノサービス提供装置２からのログアウトが行われていないと判定した場合（Ｓ１０４のＮＯ）、認証制御部１１４は、Ｓ１０２の処理で受け付けた退場要求に対応する利用者１１の携帯端末３におけるカジノサービス提供装置２からのログアウトを行う（Ｓ１０５）。
【０１３３】
これにより、情報処理装置１は、カジノ施設２０の外からカジノサービスの提供を受けることが可能な状況の発生を防止することが可能になる。
【０１３４】
一方、カジノサービス提供装置２からのログアウトが行われていると判定した場合（Ｓ１０４のＹＥＳ）、認証制御部１１４は、Ｓ１０５の処理を行わない。
【０１３５】
続いて、利用禁止制御部１１６は、図１９に示すように、Ｓ１０１の処理で退場検出があった利用者１１の携帯端末３からカジノサービス提供装置２に対するログインを不能にする制御を行う（Ｓ１０６）。
【０１３６】
また、退場制御部１１５は、Ｓ１０１の処理で受け付けた退場要求に対応する利用者１１の退場を認める旨の指示を入退場ゲートＧＴに送信する（Ｓ１０７）。
【０１３７】
そして、情報送信制御部１１７は、例えば、カジノ施設２０内のイベントの予告を示す情報及びカジノ施設２０内で発生したイベントを示す情報のうちの少なくとも１つについて、Ｓ１０１の処理で受け付けた退場要求を行った利用者１１の携帯端末３に送信することを禁止する旨の情報をカジノサービス提供装置２に送信する（Ｓ１０８）。
【０１３８】
具体的に、情報送信制御部１１７は、例えば、カジノ施設２０内のイベントの予告を示す情報及びカジノ施設２０内で発生したイベントを示す情報のうち、カジノ施設２０内で発生したイベントを示す情報のみについて、利用者１１の携帯端末３に送信することを禁止する旨の情報をカジノサービス提供装置２に送信するものであってよい。
【０１３９】
その後、情報処理装置１の情報出力部１１８は、図２０に示すように、例えば、Ｓ１０１の処理で受け付けた退場要求に対応する利用者１１のカジノ施設２０におけるカジノサービスの利用収支を示す情報を出力する（Ｓ１０９）。
【０１４０】
具体的に、情報出力部１１８は、例えば、情報格納領域１３０に記憶された入出金履歴情報１３６を参照し、利用者１１が入場してから退場するまでの間における掛け金及び戻り金の合計金額をそれぞれ出力するものであってよい。
【０１４１】
なお、情報出力部１１８は、この場合、例えば、カジノ施設２０においてプレイ可能なギャンブルの種類に応じた区分のそれぞれにおける利用収支を示す情報や、カジノ施設２０内のエリアに応じた区分のそれぞれにおける利用収支を示す情報を出力するものであってもよい。
【０１４２】
また、情報出力部１１８は、例えば、Ｓ１０１の処理で受け付けた退場要求に対応する利用者１１がカジノ施設２０において利用可能な残余分の金銭的価値を示す情報を出力する（Ｓ１１０）。
【０１４３】
具体的に、情報出力部１１８は、例えば、情報格納領域１３０に記憶された口座情報１３５を参照し、利用者１１の口座に現在入金されている金額や、利用者１１の口座に現在入金されている金額に相当するチップの枚数等を出力するものであってもよい。
【０１４４】
また、情報出力部１１８は、例えば、Ｓ１０１の処理で受け付けた退場要求に対応する利用者１１の入場から退場までの間にカジノ施設２０において発生したイベントを示す情報を出力する（Ｓ１１１）。
【０１４５】
具体的に、情報出力部１１８は、例えば、カジノ施設２０内において所定の閾値以上の戻り金が発生したカジノゲームの種類や戻り金の金額等を出力するものであってよい。
【０１４６】
さらに、情報出力部１１８は、例えば、Ｓ１０１の処理で受け付けた退場要求に対応する利用者１１のカジノ施設２０におけるカジノサービスの利用状況に応じた評価を示す情報を出力する（Ｓ１１２）。
【０１４７】
具体的に、情報出力部１１８は、例えば、情報格納領域１３０に記憶された入退場情報１３３や入出金履歴情報１３６を参照し、カジノ施設２０内の滞在時間やカジノサービスの利用に使用した掛け金の合計額等に応じた利用者１１の評価を出力するものであってよい。
【０１４８】
なお、利用者１１の評価は、例えば、利用者１１に付与されている特典の内容を示す情報（利用者１１の現在のランクを示す情報）を含むものであってよい。また、利用者１１の評価は、例えば、利用者１１に対してさらなる特典が付与されるために必要な滞在時間や掛け金を示す情報（利用者１１が次のランクになるために必要な条件を示す情報）を含むものであってよい。
【０１４９】
これにより、情報処理装置１は、カジノ施設２０に再度来店させるための動機づけを利用者１１に与えることが可能になる。
【０１５０】
このように、本実施の形態における情報処理装置１は、カジノ施設２０内への利用者１１の入場検出に応じて、入場検出があった利用者１１が有する携帯端末３を利用したカジノサービスの利用を可能とする制御を実行する。また、情報処理装置１は、カジノ施設２０からの利用者１１の退場検出に応じて、退場検出があった利用者１１が有する携帯端末３を利用したカジノサービスの利用を不能とする制御を実行する。
【０１５１】
すなわち、情報処理装置１は、例えば、利用者１１がカジノ施設２０内に入場してから退場するまでの間に限って、利用者１１による携帯端末３を介したカジノサービスの利用を可能にする。
【０１５２】
これにより、情報処理装置１は、カジノ施設２０において携帯端末３を用いたカジノサービスの提供が行われる場合であっても、カジノ施設２０の外からのカジノサービスの利用が可能な状況の発生を防止することが可能になる。
【０１５３】
以上の実施の形態をまとめると、以下の付記の通りである。
【０１５４】
（付記１）
カジノ施設への入場者の入場検出に応じて、前記入場者に対応する携帯端末を利用したカジノサービスの利用を可能とする制御を実行し、
前記入場者の前記カジノ施設からの退場検出に応じて、前記入場者に対応する携帯端末を利用したカジノサービスの利用を不能とする制御を実行する、
処理をコンピュータに実行させることを特徴とするカジノ施設の利用制御プログラム。
【０１５５】
（付記２）
付記１において、
前記カジノサービスの利用を可能とする制御を実行する処理では、前記入場者が前記カジノサービスの利用を開始するためのログインを許可する制御を行い、
前記カジノサービスの利用を可能とする制御を実行する処理では、前記ログインを禁止する制御を行う、
ことを特徴とするカジノ施設の利用制御プログラム。
【０１５６】
（付記３）
付記１において、さらに、
前記退場検出に応じて、前記入場者の入場から退場までの滞在時間を示す情報を出力する、
ことを特徴とするカジノ施設の利用制御プログラム。
【０１５７】
（付記４）
付記１において、さらに、
前記退場検出に応じて、前記入場者の前記カジノ施設におけるカジノサービスの利用収支を示す情報を出力する、
ことを特徴とするカジノ施設の利用制御プログラム。
【０１５８】
（付記５）
付記４において、
前記利用収支を示す情報は、前記カジノ施設においてプレイ可能なギャンブルの種類に応じた区分のそれぞれにおける利用収支を示す情報、または、前記カジノ施設内のエリアに応じた区分のそれぞれにおける利用収支を示す情報である、
ことを特徴とするカジノ施設の利用制御プログラム。
【０１５９】
（付記６）
付記１において、さらに、
前記退場検出に応じて、前記入場者が前記カジノ施設において利用可能な残余分の金銭的価値を示す情報を出力する、
ことを特徴とするカジノ施設の利用制御プログラム。
【０１６０】
（付記７）
付記１において、さらに、
前記退場検出に応じて、前記入場者の入場から退場までの間に前記カジノ施設において発生したイベントを示す情報を出力する、
ことを特徴とするカジノ施設の利用制御プログラム。
【０１６１】
（付記８）
付記１において、さらに、
前記退場検出に応じて、前記入場者の前記カジノ施設におけるカジノサービスの利用状況に応じた評価を示す情報を出力する、
ことを特徴とするカジノ施設の利用制御プログラム。
【０１６２】
（付記９）
カジノ施設への入場者の入場検出に応じて、前記カジノ施設内のイベントの予告を示す情報、または、前記入場検出があった後に前記カジノ施設内で発生したイベントを示す情報の、前記入場者に対応する携帯端末に対する送信を許容する制御を実行する、
処理をコンピュータに実行させることを特徴とするカジノ施設の利用制御プログラム。
【０１６３】
（付記１０）
付記９において、さらに、
前記入場者の前記カジノ施設からの退場検出に応じて、前記カジノ施設内のイベントの予告を示す情報、または、前記入場検出があった後に前記カジノ施設内で発生したイベントを示す情報の、前記入場者に対応する携帯端末に対する送信を行わないようにする制御を実行する、
処理をコンピュータに実行させることを特徴とするカジノ施設の利用制御プログラム。
【０１６４】
（付記１１）
付記９において、さらに、
前記入場者の前記カジノ施設からの退場検出に応じて、前記カジノ施設内のイベントの予告を示す情報の前記携帯端末に対する送信を許容しつつ、前記入場検出があった後に前記カジノ施設内で発生したイベントを示す情報の前記携帯端末に対する送信を行わないようにする制御を実行する、
処理をコンピュータに実行させることを特徴とするカジノ施設の利用制御プログラム。
【０１６５】
（付記１２）
カジノ施設への入場者の入場検出に応じて、各入場者に使用可能金額の上限を示す情報を記憶する記憶部を参照し、入場検出があった前記入場者の使用可能金額の上限である特定の金額を特定し、
特定した前記特定の金額に、前記入場者に対応する携帯端末を利用したカジノサービスの利用に伴う使用金額が達した場合、前記携帯端末を利用したカジノサービスの利用を制限する、
処理をコンピュータに実行させることを特徴とするカジノ施設の利用制御プログラム。
【０１６６】
（付記１３）
付記１２において、
前記制限する処理では、前記携帯端末を利用したカジノサービスの利用を禁止する、
ことを特徴とするカジノ施設の利用制御プログラム。
【０１６７】
（付記１４）
カジノ施設への入場者の入場検出に応じて、前記入場者に対応する携帯端末を利用したカジノサービスの利用を可能とする制御を実行する利用許可制御部と、
前記入場者の前記カジノ施設からの退場検出に応じて、前記入場者に対応する携帯端末を利用したカジノサービスの利用を不能とする制御を実行する利用禁止制御部と、を有する、
ことを特徴とするカジノ施設の利用制御装置。
【０１６８】
（付記１５）
付記１４において、
前記利用許可制御部は、前記入場者が前記カジノサービスの利用を開始するためのログインを許可する制御を行い、
前記利用禁止制御部は、前記ログインを禁止する制御を行う、
ことを特徴とするカジノ施設の利用制御装置。
【０１６９】
（付記１６）
カジノ施設への入場者の入場検出に応じて、前記カジノ施設内のイベントの予告を示す情報、または、前記入場検出があった後に前記カジノ施設内で発生したイベントを示す情報の、前記入場者に対応する携帯端末に対する送信を許容する制御を実行する情報送信制御部を有する、
ことを特徴とするカジノ施設の利用制御装置。
【０１７０】
（付記１７）
カジノ施設への入場者の入場検出に応じて、各入場者に使用可能金額の上限を示す情報を記憶する記憶部を参照し、入場検出があった前記入場者の使用可能金額の上限である特定の金額を特定し、特定した前記特定の金額に、前記入場者に対応する携帯端末を利用したカジノサービスの利用に伴う使用金額が達した場合、前記携帯端末を利用したカジノサービスの利用を制限する利用禁止制御部を有する、
ことを特徴とするカジノ施設の利用制御装置。
【０１７１】
（付記１８）
カジノ施設への入場者の入場検出に応じて、前記入場者に対応する携帯端末を利用したカジノサービスの利用を可能とする制御を実行し、
前記入場者の前記カジノ施設からの退場検出に応じて、前記入場者に対応する携帯端末を利用したカジノサービスの利用を不能とする制御を実行する、
ことを特徴とするカジノ施設の利用制御方法。
【０１７２】
（付記１９）
付記１８において、
前記カジノサービスの利用を可能とする制御を実行する処理では、前記入場者が前記カジノサービスの利用を開始するためのログインを許可する制御を行い、
前記カジノサービスの利用を可能とする制御を実行する処理では、前記ログインを禁止する制御を行う、
ことを特徴とするカジノ施設の利用制御方法。
【０１７３】
（付記２０）
カジノ施設への入場者の入場検出に応じて、前記カジノ施設内のイベントの予告を示す情報、または、前記入場検出があった後に前記カジノ施設内で発生したイベントを示す情報の、前記入場者に対応する携帯端末に対する送信を許容する制御を実行する、
ことを特徴とするカジノ施設の利用制御プログラム。
【０１７４】
（付記２１）
カジノ施設への入場者の入場検出に応じて、各入場者に使用可能金額の上限を示す情報を記憶する記憶部を参照し、入場検出があった前記入場者の使用可能金額の上限である特定の金額を特定し、
特定した前記特定の金額に、前記入場者に対応する携帯端末を利用したカジノサービスの利用に伴う使用金額が達した場合、前記携帯端末を利用したカジノサービスの利用を制限する、
ことを特徴とするカジノ施設の利用制御方法。
【符号の説明】
【０１７５】
１：情報処理装置            ２：カジノサービス提供装置
３ａ：携帯端末              ３ｂ：携帯端末
１０：情報処理システム      １１ａ：利用者
１１ｂ：利用者              ２０：カジノ施設
ＡＰ：アクセスポイント      ＮＷ：ネットワーク
ＧＴ：入退場ゲート
【図１】
2019159502.tif 000003
【図２】
2019159502.tif 000004
【図３】
2019159502.tif 000005
【図４】
2019159502.tif 000006
【図５】
2019159502.tif 000007
【図６】
2019159502.tif 000008
【図７】
2019159502.tif 000009
【図８】
2019159502.tif 000010
【図９】
2019159502.tif 000011
【図１０】
2019159502.tif 000012
【図１１】
2019159502.tif 000013
【図１２】
2019159502.tif 000014
【図１３】
2019159502.tif 000015
【図１４】
2019159502.tif 000016
【図１５】
2019159502.tif 000017
【図１６】
2019159502.tif 000018
【図１７】
2019159502.tif 000019
【図１８】
2019159502.tif 000020
【図１９】
2019159502.tif 000021
【図２０】
2019159502.tif 000022
【図２１】
2019159502.tif 000023
【図２２】
2019159502.tif 000024
【図２３】
2019159502.tif 000025
【図２４】
2019159502.tif 000026
【図２５】
2019159502.tif 000027
【図２６】
2019159502.tif 000028